(57)【要約】      （修正有）【課題】ショーケースの断熱壁内側に、冷気通路と区画形成された貯蔵室を備え、この貯蔵室の前面開口に上方の吹出口から下方の吸込口へ向かって吹き出すエアーカーテンが形成され、また、吹出口には垂下する整流板を取り付け、前方に蛍光灯が配備されているオープンショーケースにおいて、おおきな構造変更を行う必要なく、追加部品設定なしでユーザーからナイトカバーの視認性を軽減させる等の意匠性向上が図れるとともに、照明とナイトカバーとの距離を確保しなくてもナイトカバー収納時にフックと蛍光管の接触を回避する事が可能となり、一層の意匠性向上が図れる。【解決手段】整流板１５の上部に設定した凹形状部にナイトカバーの巻き取り部５ａを配置し、且つ蛍光灯２２が取り付けられる反射板２１の先端を前記凹形状部の下側まで延設し、前記巻き取り部５ａから前記延設した反射板と整流板１５の隙間を介してナイトカバーを引き出す。【選択図】図１
2011250992.tif 000002
【特許請求の範囲】
【請求項１】
ショーケース本体を構成する断熱壁の内側に、冷気通路と区画形成された貯蔵室を備え、この貯蔵室の前面開口に上方の吹出口から下方の吸込口へ向かって吹き出すエアーカーテンが形成され、また、吹出口には垂下する整流板を取り付け、前方に蛍光灯が配備されているオープンショーケースにおいて、
前記整流板の上部に設定した凹形状部にナイトカバーの巻き取り部を配置し、且つ前記蛍光灯が取り付けられる反射板の先端を前記凹形状部下側まで延設し、前記巻き取り部から前記延設した反射板と整流板の隙間を介してナイトカバーを引き出すことを特徴とするオープンショーケース。
【発明の詳細な説明】
【技術分野】
【０００１】
本発明は、コンビニエンスストアなどに設置されるオープンショーケースに関する。
【背景技術】
【０００２】
従来この種オープンショーケース１は、下記特許文献１にも示されるが、図    ５、図６に示すように断面略コ字状の断熱壁２と、この断熱壁２の両側に取り付けられた側板３とからなり、断熱壁２の内側には間隔を存して仕切板４を取り付け、この仕切板４と断熱壁２間をダクト６としている。
【特許文献１】実開昭５９−１０５９８５号公報
【０００３】
図５、図６の例は前記ダクト６を更に仕切板１０で仕切り、冷却装置の冷却器１７を縦設した冷気ダクト６ａと保護気流ダクト６ｂとに区画し、断熱壁２の前面開口９の上縁にはハニカム盤１１ａ，１１ｂを設けて吹出口１２ａ，１２ｂを形成しており、この吹出口１２ａは冷気ダクト６ａに連通し、吹出口１２ｂは保護気流ダクト６ｂに連通し、開口９の下縁には吸込口１３を形成する。
【０００４】
仕切板４の下端前方には底板７を断熱壁２の底壁との間にダクト用の間隔を存して取り付けており、これら仕切板４及び底板７の内側を貯蔵室８としている。
【０００５】
一方、底板７下方には断熱壁２の底壁上にファンケース１４が設置されており、このファンケース１４には送風機１６を取り付けた。
【０００６】
更に、断熱壁２の底壁の下方は機械室２３となり、内蔵型ショーケースにおいてはここに冷却装置を構成する凝縮器や圧縮機、凝縮器用送風機等を設置している。
【０００７】
このようにして送風機１６を運転して冷却器１７と熱交換した冷気は冷気ダクト６ａ内を上昇し、吹出口１２ａより吸込口１３に向かって吐出され，開口９を閉塞する冷気エアーカーテンを形成する。
【０００８】
また、送風機１６から保護気流ダクト６ｂに送り込まれた空気は、吹出口１２ｂより吸込口１３に向かって吐出され、冷気エアーカーテンの保護気流である保護気流エアーカーテンを形成する。
【０００９】
そして、吸込口１３から吸い込まれた冷気および保護気流は再び送風機１６によって加速され、冷気エアーカーテンの一部が貯蔵室８内に循環されて、貯蔵室８は冷却される。
【００１０】
貯蔵室８内には上下に複数段の棚１８を架設し、各棚１８の下面前部には蛍光灯１９を取り付けている。
【００１１】
一方、断熱壁２の開口９の上方で、吹出口１２ｂの前側にも蛍光灯２２を設けるが、この蛍光灯２２は断熱壁２に取り付けられる反射板２１の内側に取り付けられる。
【００１２】
この反射板２１は、例えば白色塗装された鋼板や鏡面加工された鋼板であり、２連の蛍光灯２２の前後を覆うように傘状に降下した形状を呈している。
【００１３】
前記オープンショーケースでは、ナイトカバーと称される引き出し自在のカバー（以下、ナイトカバー５と称す。）が取り付けられており、商品の納出が行われない閉店時には、このナイトカバー５を引き出して開口部を被うことにより、開口部からの無駄な気流の流出を防止し、消費電力の削減を図ることができるように構成されている。
【００１４】
ナイトカバー５は巻き取り部５ａに巻き取り収納されるもので、先端には吸込口１３付近に設けた掛止部に引掛けるフック２０を設けた。
【００１５】
また、前記吹出口１２ｂには前面側に整流板１５が垂下され、この整流板１５の断熱壁２への取り付け部分には凹形状部１６を形成して、前記ナイトカバー５はこの凹形状部１６に前記ナイトカバー５の巻き取り部５ａを配置している。
【発明の開示】
【発明が解決しようとする課題】
【００１６】
前記多段系ショーケースにおいて、天井部分には庫内商品を照らす照明としての蛍光灯２２や営業時間外等で使用する保冷用のナイトカバー５、また庫内に冷気を送り出す吹出口１２ａ、１２ｂ｛整流板１５・ハニカム盤１１ａ、１１ｂ｝等の部品が多数設置されている。
【００１７】
この為ユーザーがショーケース内の商品を取り出す際、頭上に圧迫感がある印象を与える様な構造となっており意匠性が損なわれていた。また構造物が商品より目立ってしまい、商品購入意欲の減少につながる。
【００１８】
また、庫内照度向上の為、天井部の照明である蛍光灯２２を並列して設定するトップ灯では、図８に示すようにナイトカバー５を収納時にフック２０が跳ね上がって蛍光管２２へ接触するおそれがあった。
【００１９】
このようなナイトカバー５のフック２０の蛍光管２２への接触で、蛍光管２２が破損するのを防止するには、蛍光管２２を離して設置し、距離を確保する必要がある。
【００２０】
なお、反射板２１は庫内の棚部分の照明レス化を図る為、天井照明の照度向上の為に設定するものであるが、前記印象悪化の一要因となっている。
【００２１】
本発明は前記不都合を解消し、大きな構造変更を行う必要なく、追加部品設定なしでユーザーからナイトカバーの視認性を軽減させる等の意匠性向上が図れるとともに、照明とナイトカバーとの距離を確保しなくてもナイトカバー収納時にフックと蛍光管の接触を回避する事が可能となり、一層の意匠性向上が図れるオープンショーケースを提供することにある。
【課題を解決するための手段】
【００２２】
前記目的を達成するため請求項１記載の本発明は、ショーケース本体を構成する断熱壁の内側に、冷気通路と区画形成された貯蔵室を備え、この貯蔵室の前面開口に上方の吹出口から下方の吸込口へ向かって吹き出すエアーカーテンが形成され、また、吹出口には垂下する整流板を取り付け、前方に蛍光灯が配備されているオープンショーケースにおいて、前記整流板の上部に設定した凹形状部にナイトカバーの巻き取り部を配置し、且つ前記蛍光灯が取り付けられる反射板の先端を前記凹形状部下側まで延設し、前記巻き取り部から前記延設した反射板と整流板の隙間を介してナイトカバーを引き出すことを要旨とするものである。
【００２３】
請求項１記載の本発明によれば、ナイトカバー５を整流板１５の上部に形成した凹形状部１６に巻き取り部５ａを配置しており、かつ、蛍光灯２２が取り付けられる反射板２１の先端を前記凹形状部１６の下側まで延設しているので、凹形状部１６や巻き取り部５ａはこの反射板２１の先端延設部で覆われ、ユーザーからの視認性を軽減する部品配置構造となる。
【００２４】
また、この反射板２１の先端延設部の存在で、ナイトカバー５のフック２０の部分が蛍光管２２へ接触することを防止できる。
【発明の効果】
【００２５】
以上述べたように本発明のオープンショーケースは、ショーケース本体を構成する断熱壁の内側に、冷気通路と区画形成された貯蔵室を備え、この貯蔵室の前面開口に上方の吹出口から下方の吸込口へ向かって吹き出すエアーカーテンが形成され、また、吹出口には垂下する整流板を取り付け、前方に蛍光灯が配備されているオープンショーケースにおいて、大きな構造変更を行う必要なく、追加部品設定なしでユーザーからナイトカバーの視認性を軽減させる等の意匠性向上が図れるとともに、照明とナイトカバーとの距離を確保しなくてもナイトカバー収納時にフックと蛍光管の接触を回避する事が可能となり、一層の意匠性向上が図れるものである。
【発明を実施するための最良の形態】
【００２６】
以下、図面について本発明の実施形態を詳細に説明する。図１は本発明のオープンショーケースの１実施形態と示す天井部分の縦断側面図で、前記従来例を示す図７、図８と同一構成要素には同一参照符号を付したものである。
【００２７】
図中２２は断熱壁２の開口９の上方で、吹出口１２ｂの前側に設けた蛍光灯で、この蛍光灯２２は断熱壁２に取り付けられる反射板２１の内側に取り付けられる。
【００２８】
該反射板２１は、例えば白色塗装された鋼板や鏡面加工された鋼板であり、２連の蛍光灯２２の前後を覆うように傘状に降下した形状を呈している。
【００２９】
図中１５は前記吹出口１２ｂには前面側に垂下する整流板で、この整流板１５の断熱壁２への取り付け部分には凹形状部２５を形成して、ここにナイトカバー５の巻き取り部５ａを配置している点は前記従来例と同じである
【００３０】
本発明は、前記蛍光灯２２が取り付けられる反射板２１の先端を前記整流板１５の凹形状部２５の下側まで延設し、この延設した延設部２１ａと整流板１５の間にナイトカバー５を引き出す隙間２４を確保した。
【００３１】
詳細には、整流板１５の凹形状部２５は整流板１５の上部を屈曲させて棚段を形成しており、前記反射板２１の先端の延設部２１ａはその先端がこの棚段の平坦面よりも下方に位置する。
【００３２】
また、図４に示すように、ナイトカバー５は巻き取り部５ａに巻き取り収納されるもので、先端には吸込口１３付近に設けた掛止部に引掛けるフック２０を設けている。
【００３３】
このフック２０の長さをαとした場合、前記延設部２１ａの長さはこのαよりも大きいものである。
【００３４】
このようにして、図２に示すように、商品の納出が行われない閉店時には、ナイトカバー５を巻き取り部５ａから引き出して開口９を被うことにより、開口９からの無駄な気流の流出を防止し、消費電力の削減を図ることができるが、ナイトカバー５は前記延設部２１ａと整流板１５の隙間２４を介して引き出される。
【００３５】
また、ナイトカバー５を収納するには吸込口１３付近に設けた掛止部に引掛けたフック２０を外すと、巻き取り部５ａで巻き取られるが、図３に示すように、反射板２１の先端延設部２１ａの存在で、ナイトカバー５のフック２０の部分が跳ね上がっても蛍光管２２へ接触することを防止できる。
【図面の簡単な説明】
【００３６】
【図１】本発明のオープンショーケースの１実施形態と示す天井部分のナイトカバー巻き取り収納時の縦断側面図である。
【図２】本発明のオープンショーケースの１実施形態と示す天井部分のナイトカバー引き出し時の縦断側面図である。
【図３】本発明のオープンショーケースの１実施形態と示す天井部分のナイトカバー巻き取り時の縦断側面図である。
【図４】ナイトカバーの説明図である。
【図５】オープンショーケースの概要を示すナイトカバー巻き取り収納時の縦断側面図である。
【図６】オープンショーケースの概要を示すナイトカバー引き出し時の縦断側面図である。
【図７】従来例を示すオープンショーケースの天井部分のナイトカバー巻き取り収納時の縦断側面図である。
【図８】従来例を示すオープンショーケースの天井部分のナイトカバー巻き取り時の縦断側面図である。
【符号の説明】
【００３７】
１  オープンショーケース      ２  断熱壁
３  側板                      ４  仕切板
５  ナイトカバー              ５ａ  巻き取り部
６、６ａ、６ｂ  ダクト
７  底板                      ８  貯蔵室
９  開口                      １０  仕切板
１１ａ、１１ｂ  ハニカム盤    １２ａ、１２ｂ  吹出口
１３  吸込口                  １４  ファンケース
１５  整流板                  １６  送風機
１７  冷却器                  １８  棚
１９  蛍光灯                  ２０  フック
２１  反射板                  ２１ａ  延設部
２２  蛍光灯                  ２３  機械室
２４  隙間                  ２５  凹形状部
【図１】
2011250992.tif 000003
【図２】
2011250992.tif 000004
【図３】
2011250992.tif 000005
【図４】
2011250992.tif 000006
【図５】
2011250992.tif 000007
【図６】
2011250992.tif 000008
【図７】
2011250992.tif 000009
【図８】
2011250992.tif 000010